(57)【要約】【課題】  パスの状態に追従した、最適な電力加算回数を実現する装置及び方法の提供。【解決手段】  マルチパスの遅延プロファイル上で有効なパスを検出し、受信信号中の拡散符号との同期タイミングをサーチし、前記有効パスを検出した場合、次のパスサーチにあたっては、検出した有効パス周辺にサーチ範囲を設定するパスサーチ装置において、セル範囲全体の遅延プロファイル作成部２３と、パス周辺の遅延プロファイル作成部２４とを備え、遅延プロファイル作成部２３において、電力加算処理継続判定部２１１は、フィンガー部２２からの同期情報（受信ＳＩＲ２ｈ、同期判定結果２ｉ）に基づき、電力加算部２１０１で遅延プロファイル生成中にパスを見失ったと判断された場合には、電力加算部２１０１での電力加算を中断して遅延プロファイルを出力させ、速やかにサーチウィンドウの更新を行うように制御する。【選択図】            図２
2006050005.tif 000002
【特許請求の範囲】
【請求項１】
受信信号から遅延プロファイルを作成して出力する手段と、
前記遅延プロファイル上で有効パスを検出した場合に、前記有効パス周辺にサーチ範囲を設定する手段と、
前記遅延プロファイルのための電力加算処理中に、パス非検出と判定した場合に、前記電力加算を中断させて遅延プロファイルを出力するように制御する制御手段と、
を備えている、ことを特徴とするパスサーチ装置。
【請求項２】
受信信号からセル範囲全体の遅延プロファイルを作成する第１の遅延プロファイル生成部と、
前記受信信号からパス周辺の遅延プロファイルを作成する第２の遅延プロファイル生成部と、
前記第１の遅延プロファイル生成部より出力される遅延プロファイルを受け、前記遅延プロファイルから有効パスが検出された場合、前記第１及び第２の遅延プロファイル生成部に対して前記検出した有効パス周辺にサーチ範囲を設定する手段と、
前記第１の遅延プロファイル作成部において遅延プロファイル生成のための電力加算処理中に、パス非検出と判定した場合に、前記第１の遅延プロファイル作成部での電力加算を中断して遅延プロファイルを出力させ、前記遅延プロファイルに基づき前記サーチ範囲の更新を行うように制御する制御手段と、
を備えている、ことを特徴とするパスサーチ装置。
【請求項３】
前記パスサーチ装置で検出された同期タイミングで受信信号を逆拡散し、該逆拡散後の信号を合成し、該合成信号を復号し同期判定を行うフィンガー部から、前記パスサーチ装置に供給される同期情報を、前記制御手段が受け取り、
前記制御手段は、受け取った前記同期情報に基づき、前記第１の遅延プロファイル作成部での電力加算回数を可変に設定する、ことを特徴とする請求項２記載のパスサーチ装置。
【請求項４】
前記パスサーチ装置で検出された同期タイミングで受信信号を逆拡散し、該逆拡散後の信号を合成し、該合成信号を復号して同期判定を行うフィンガー部に対して通知する情報を、前記制御手段が受け取り、
前記制御手段は、受け取った前記情報に基づき、前記第１の遅延プロファイル作成部での電力加算回数を可変に設定する、ことを特徴とする請求項２記載のパスサーチ装置。
【請求項５】
前記第１の遅延プロファイル生成部が、
前記受信信号と既知のパイロット信号との相関をとりＩ相（In-Phase）とＱ相（Quadrature Phase）からなる相関値を出力する第１の相関値計算部と、
前記第１の相関値計算部からの相関値のＩ相とＱ相を独立に所定の加算回数回だけ加算する第１の同相加算部と、
電力加算処理継続判定部と、
前記第１の同相加算部で同相加算した相関値から相関電力値に変換した後、前記電力加算処理継続判定部から通知された情報に基づき、電力加算処理を行うか、または遅延プロファイルの出力処理を行う第１の電力加算部と、
を備え、
前記第２の遅延プロファイル生成部が、
前記受信信号と既知のパイロット信号との相関を取り、Ｉ相とＱ相からなる相関値を出力する第２の相関値計算部と、
前記第１の相関値計算部からの相関値のＩ相とＱ相を独立に所定の加算回数回だけ加算する第２の同相加算部と、
前記第２の同相加算部で同相加算した相関値から相関電力値に変換した後、予め定められた回数、電力加算処理して遅延プロファイルの出力処理を行う第２の電力加算部と、
を備え、
さらに、前記パスサーチ装置は、
前記第１、第２の遅延プロファイル生成部がそれぞれ生成した遅延プロファイルに基づき、パスの検出処理をそれぞれ行う第１、第２のパス検出処理部と、
ウィンドウ割り当て部と、
を備え、
前記第１のパス検出処理部は、得られたパス情報を前記ウィンドウ割り当て部に通知し、
前記第２のパス検出処理部は、得られたパス情報を、前記パスサーチ装置で検出された同期タイミングで受信信号を逆拡散し、該逆拡散後の信号を合成し、該合成信号を復号して同期判定を行うフィンガー部へ通知し、
前記ウィンドウ割り当て部は、前記第１のパス検出処理部が検出したパスの情報に基づき、次回のサーチを行うサーチ範囲の更新を行い、前記更新したサーチ範囲の情報を、前記第１及び第２の相関値計算部に通知し、
前記電力加算処理継続判定部は、前記第１の電力加算部で予め定められた所定回数分の電力加算処理の終了後に、パスを見失ったと判断した場合には、電力加算処理を中断するように、前記第１の電力加算部を制御し、それ以外の場合には、予め定められた規定回数まで電力加算処理を継続するように前記第１の電力加算部を制御する、ことを特徴とする請求項２記載のパスサーチ装置。
【請求項６】
前記電力加算処理継続判定部は、予め定められた所定回数の電力加算処理の終了後に、前記フィンガー部から通知される同期情報に基づき、パスを見失ったと判断した場合には、電力加算処理を中断するように、前記第１の電力加算部を制御し、そうでない場合には規定回数まで電力加算処理を継続するように制御する、ことを特徴とする請求項５記載のパスサーチ装置。
【請求項７】
前記フィンガー部から前記電力加算処理継続判定部に通知される前記同期情報が、受信ＳＩＲ（Signal to Interference signal power Ratio）情報と、同期判定結果信号よりなる、ことを特徴とする請求項４記載のパスサーチ装置。
【請求項８】
前記電力加算処理継続判定部は、同期確立、後方保護かつ受信ＳＩＲが所定値以上、前方保護かつ受信ＳＩＲが所定値以上のうちのいずれかの場合、パス検出と判定し、それ以外の場合、パス非検出と判定する、ことを特徴とする請求項７記載のパスサーチ装置。
【請求項９】
前記電力加算処理継続判定部は、前記第２のパス検出処理部が前記フィンガー部に通知するパス情報を入力し、パスを見失ったと判断した場合には、電力加算処理を中断するように、前記第１の電力加算部を制御し、そうでない場合には規定回数まで電力加算処理を継続するように前記第１の電力加算部を制御する、ことを特徴とする請求項５記載のパスサーチ装置。
【請求項１０】
前記電力加算処理継続判定部は、前記第１の電力加算部で予め定められた最低数の電力加算処理の終了後、前記パス情報に基づき、有効なパスが存在しない場合には、前記第１の電力加算部での電力加算処理を中断し、遅延プロファイルを出力するように制御する、ことを特徴とする請求項９記載のパスサーチ装置。
【請求項１１】
請求項１又は２記載のパスサーチ装置と、
前記パスサーチ装置で検出された同期タイミングで受信信号を逆拡散し、該逆拡散後の信号を合成し、該合成信号を復号し同期判定を行うフィンガー部を備え、
前記パスサーチ装置の前記制御手段は、前記フィンガー部がパスサーチ装置に通知する同期情報に基づき、前記第１の遅延プロファイル作成部での電力加算処理を継続するか、または中断させるかを決定し、パスを見失ったと判定した場合に、前記第１の遅延プロファイル作成部での電力加算処理を中断して遅延プロファイルを出力し、パスを見失っていない場合には、前記第１の遅延プロファイル作成部での電力加算処理を継続するように制御する、ことを特徴とする受信装置。
【請求項１２】
前記パスサーチ装置の請求項１又は２記載のパスサーチ装置と、
前記パスサーチ装置で検出された同期タイミングで受信信号を逆拡散し、該逆拡散後の信号を合成し、該合成信号を復号し同期判定を行うフィンガー部を備え、
前記パスサーチ装置の前記制御手段は、前記パスサーチ装置が、前記フィンガー部に通知するパスの情報に基づき、パスを見失ったと判断した場合には、前記第１の遅延プロファイル作成部での電力加算処理を中断するように制御し、そうでない場合には前記第１の遅延プロファイル作成部での電力加算処理を継続するように制御する、ことを特徴とする受信装置。
【請求項１３】
前記フィンガー部が、
前記パスサーチ装置から通知された受信タイミングで前記受信信号の逆拡散を行う逆拡散部と、
前記逆拡散部からデータを受け取り各受信タイミングにおけるチャネル推定ベクトルを求めＳＩＲを推定する第１のＳＩＲ推定部と、
前記逆拡散部からのデータを前記チャネル推定ベクトルにより補正するともに、前記ＳＩＲに従って重み付け合成するＲＡＫＥ合成部と、
前記ＲＡＫＥ合成部で合成されたデータに基づきＲＡＫＥ合成後のＳＩＲを推定する第２のＳＩＲ推定部と、
前記ＲＡＫＥ合成部で合成されたデータを復号する復号部と、
前記第２のＳＩＲ推定部で得られたＳＩＲ（「受信ＳＩＲ」という）及び前記復号部で得られた復号結果を用いて同期判定を行う同期判定部を備えている、ことを特徴とする請求項１１又は１２記載の受信装置。
【請求項１４】
受信信号から遅延プロファイルを作成して出力する工程と、
前記遅延プロファイル上で有効パスを検出した場合に、前記有効パス周辺にサーチ範囲を設定する工程と、
を含む、パスサーチャー部での遅延プロファイル作成方法であって、
前記遅延プロファイルのための電力加算処理中に、パス非検出と判定した場合に、前記電力加算を中断させて遅延プロファイルを出力するように制御する工程と、
を含む、ことを特徴とするプロファイル作成方法。
【請求項１５】
受信信号からセル範囲全体の遅延プロファイルを作成する第１の遅延プロファイル生成部と、前記受信信号からパス周辺の遅延プロファイルを作成する第２の遅延プロファイル生成部と、を有し、前記第１の遅延プロファイル生成部より出力される遅延プロファイルを受け、前記遅延プロファイルから有効パスが検出された場合、前記第１及び第２の遅延プロファイル生成部に対して、前記検出した有効パス周辺にサーチ範囲を設定するパスサーチャー部での遅延プロファイル作成方法であって、
前記第１の遅延プロファイル作成部で遅延プロファイル生成のための電力加算処理中に、パス非検出と判定した場合に、前記第１の遅延プロファイル作成部での電力加算を中断させて遅延プロファイルを出力させ、前記出力遅延プロファイルに基づき前記サーチ範囲の更新を行うように制御する工程と、
を含む、ことを特徴とする遅延プロファイル作成方法。
【請求項１６】
前記パスサーチャー部で検出された同期タイミングで受信信号を逆拡散し、該逆拡散後の信号を合成し、該合成信号を復号し同期判定を行うフィンガー部から、前記サーチャー部に供給される同期情報に基づき、前記第１の遅延プロファイル作成部での電力加算回数を可変に設定する、ことを特徴とする請求項１５記載の遅延プロファイル作成方法。
【請求項１７】
前記パスサーチャー部で検出された同期タイミングで受信信号を逆拡散し、該逆拡散後の信号を合成し、該合成信号を復号し同期判定を行うフィンガー部に対して、前記パスサーチャー部から通知する情報に基づき、前記第１の遅延プロファイル作成部での電力加算回数を可変に設定する、ことを特徴とする請求項１５記載の遅延プロファイル作成方法。
【請求項１８】
前記第１の遅延プロファイル作成部の電力加算部で予め定められた所定回数の電力加算処理の終了後に、前記フィンガー部から通知される同期情報に基づき、パスを見失ったと判断した場合には、電力加算処理を中断するように、前記電力加算部を制御し、そうでない場合には規定回数まで電力加算処理を継続するように制御する、ことを特徴とする請求項１６記載の遅延プロファイル作成方法。
【請求項１９】
前記同期情報が、受信ＳＩＲ（Ｓｉｇｎａｌ  ｔｏ  Ｉｎｔｅｒｆｅｒｅｎｃｅ  Ｓｉｇｎａｌ  Ｒａｔｉｏ）情報と、同期判定結果信号よりなる、ことを特徴とする請求項１８記載の遅延プロファイル作成方法。
【請求項２０】
前記同期判定結果信号と受信ＳＩＲから、同期確立、後方保護かつ受信ＳＩＲが所定値以上、前方保護かつ受信ＳＩＲが所定値以上のうちのいずれかの場合、パス検出と判定し、それ以外の場合、パス非検出と判定する、ことを特徴とする請求項１９記載の遅延プロファイル作成方法。
【請求項２１】
前記パスサーチャー部が前記フィンガー部に通知するパス情報に基づき、パスを見失ったと判断した場合には、電力加算処理を中断するように、前記第１の遅延プロファイル作成部の電力加算部を制御し、そうでない場合には、予め定められた規定回数まで電力加算処理を継続するように制御する、ことを特徴とする請求項１７記載の遅延プロファイル作成方法。
【請求項２２】
前記パスサーチャー部は、前記第１の遅延プロファイル作成部の電力加算部で予め定められた所定回数の電力加算処理の終了後、前記パス情報に基づき、有効なパスが存在しない場合には、前記第１の遅延プロファイル作成部の電力加算部での電力加算処理を中断し、遅延プロファイルを出力するように制御する、ことを特徴とする請求項２１記載の遅延プロファイル作成方法。
【発明の詳細な説明】
【技術分野】
【０００１】
本発明は、スペクトラム拡散通信方式におけるパスサーチ装置及び方法に関し、特に、パスの状態に追従する装置と遅延プロファイル生成方法に関する。
【背景技術】
【０００２】
図９は、スペクトラム拡散通信方式における従来のサーチャー部９１の構成の典型的な構成の一例を示したものである。図９を参照すると、このサーチャー部９１は、セル範囲全体（セル半径全体）の遅延プロファイル生成部９３と、パス周辺の遅延プロファイル生成部９４と、パス検出処理部９５、９６と、ウィンドウ割り当て部９７と、を備えている。
【０００３】
セル半径全体の遅延プロファイル生成部９３は、相関値計算部２８１と、同相加算部２９１と、電力加算部９２１と、を備えている。また、パス周辺の遅延プロファイル生成部９４は、相関値計算部２８２と、同相加算部２９２と、電力加算部９２２と、を備えている。
【０００４】
相関値計算部２８１と２８２は、いずれも、受信信号のパイロット部を少しずつずらしながら既知のパイロット信号との相関を取り、Ｉ相とＱ相からなるベクトル量である相関値をそれぞれ同相加算部２９１と２９２に出力する。
【０００５】
同相加算部２９１と２９２は、いずれも、相関値をＩ相とＱ相を独立に所定の加算回数回だけ加算し、加算結果をそれぞれ電力加算部９２１と９２２に出力する。
【０００６】
電力加算部９２１と９２２は、同相加算部２９１と２９２がそれぞれ加算したベクトル量である相関値の自乗和を取り、スカラー量である相関電力値に変換した後、所定の回数電力加算処理を行った後、遅延プロファイルの出力処理をそれぞれ行う。
【０００７】
パス検出処理部９５と９６は、遅延プロファイル生成部９３と９４がそれぞれ生成した遅延プロファイルに基づき、パスの検出処理と更新処理を行う。セル半径全体のパスを検出するパス検出処理部９５では、得られたパス情報をウィンドウ割り当て部９７に通知し、狭い範囲のパスを検出するパス検出処理部９６では、得られたパス情報をフィンガー部９０へ通知する。
【０００８】
ウィンドウ割り当て部９７は、パス検出処理部９５が検出したパスの情報に基づき、次回のサーチを行うサーチ範囲の更新を行い、その情報（更新したサーチ範囲）を、遅延プロファイル生成部９３と９４の相関値計算部２８１と２８２に通知する。
【０００９】
なお、サーチャー部で有効パスを検出した場合、次のパスサーチにあたっては、検出した有効パス周辺にサーチ範囲を設定し直す上記構成として、例えば後記特許文献１の記載が参照される。マルチパスの遅延プロファイル上で有効なパスを検出し、受信信号中の拡散符号との同期タイミングをサーチするサーチャ部と、前記検出された同期タイミングで受信信号を逆拡散し、逆拡散後の信号を合成するフィンガー部と、合成後の信号を復号し同期判定を行う信号処理部を備え、サーチャー部は同期判定の結果が同期外れを示すとき、サーチ範囲を拡幅する構成とされる。また、後記特許文献２には、遅延プロファイルの電力について所定閾値を超えるもののうち最先及び最遅延の各領域を抽出し、最先及び最遅延の領域に囲まれる部分にサーチウィンドウを設定するサーチウィンドウ制御方法が提案されている。
【００１０】
【特許文献１】特開２００３−２８３３７７号公報
【特許文献２】特開２００４−８０２９８号公報
【発明の開示】
【発明が解決しようとする課題】
【００１１】
ところで、従来のセル範囲全体をサーチする処理は、パスの状態が変化しても、あらかじめ決められた回数だけ電力加算を行うため、所定の回数の電力加算終了までは、サーチウィンドウが更新されない。このためにパスを見失う場合がある。
【００１２】
より詳細には、図９を参照して説明したサーチャー部９１における遅延プロファイル生成部９３においては、電力加算部９２１で行われる電力加算の回数が固定のため、複数のセクタからの信号を受信した場合や、サーチ範囲が広がり遅延プロファイルの生成に時間がかかるような場合に、パスの状態の変化にサーチウィンドウが追従できず、パスを見失うことがあるということである。そして、電力加算回数が固定のため、様々な伝搬環境下で最適な電力加算回数を提供できない。
【００１３】
したがって、本発明の主たる目的は、パスの状態に追従した、最適な電力加算回数を実現する装置及び方法を提供することにある。
【課題を解決するための手段】
【００１４】
本明細書で開示される発明は、上記目的を達成するため、概略以下の通りとされる。
【００１５】
本発明は、セル範囲全体をサーチする処理において、遅延プロファイル生成中にパスを見失ったと判断された場合には、電力加算処理継続判定部が電力加算部を制御し、電力加算処理を中断して、遅延プロファイルを出力させることにより、速やかにサーチウィンドウの更新を行う構成とされている。
【００１６】
本発明の１つの側面（アスペクト）に係る装置は、受信信号からセル範囲全体の遅延プロファイルを作成する第１の遅延プロファイル生成部と、前記受信信号からパス周辺の遅延プロファイルを作成する第２の遅延プロファイル生成部と、前記第１の遅延プロファイル生成部より出力される遅延プロファイルを受け、前記遅延プロファイルから有効パスが検出された場合、前記第１及び第２の遅延プロファイル生成部に対して前記検出した有効パス周辺にサーチ範囲を設定する手段と、前記第１の遅延プロファイル作成部において遅延プロファイル生成のための電力加算処理中に、パス非検出と判定した場合に、前記第１の遅延プロファイル作成部での電力加算を中断して遅延プロファイルを出力させ、前記遅延プロファイルに基づき前記サーチ範囲の更新を行うように制御する制御手段と、を備えている。
【００１７】
本発明に係る装置において、前記パスサーチ装置で検出された同期タイミングで受信信号を逆拡散し、該逆拡散後の信号を合成し、該合成信号を復号し同期判定を行うフィンガー部から、前記パスサーチ装置に供給される同期情報を、前記制御手段が受け取り、前記制御手段は、受け取った前記同期情報に基づき、前記第１の遅延プロファイル作成部での電力加算回数を可変に設定する。
【００１８】
本発明に係る装置において、前記制御手段は、前記同期情報に基づき、前記第１の遅延プロファイル作成部での電力加算処理を継続するか、または中断させるかを決定し、パスを見失ったと判断された場合に、次回以降の電力加算処理を中断して遅延プロファイルを出力し、パスを見失っていない場合には、電力加算処理を継続するように制御する構成としてもよい。本発明において、前記フィンガー部から通知される同期情報は、好ましくは、受信ＳＩＲ情報と、同期判定結果信号よりなる。
【００１９】
本発明の別の側面に係る装置において、前記パスサーチ装置で検出された同期タイミングで受信信号を逆拡散し、該逆拡散後の信号を合成し、該合成信号を復号して同期判定を行うフィンガー部に対して通知する情報を、前記制御手段が受け取り、前記制御手段は、受け取った前記情報に基づき、前記第１の遅延プロファイル作成部での電力加算回数を可変に設定する構成としてもよい。
【００２０】
本発明の別の側面に係る受信装置は、上記した本発明に係るパスサーチ装置と、前記検出された同期タイミングで受信信号を逆拡散し、逆拡散後の信号を合成し、同期判定を行うフィンガー部を備え、前記制御手段は、前記フィンガー部がサーチャー装置に通知する同期情報に基づき、セル範囲全体の遅延プロファイル作成部での電力加算処理を継続するか、または中断させるかを決定し、パスを見失ったと判断された場合に、次回以降の電力加算処理を中断して遅延プロファイルを出力し、パスを見失っていない場合には、電力加算処理を継続するように制御する。前記制御手段は、前記パスサーチ装置が、前記フィンガー部に通知するパスの情報に基づき、パスを見失ったと判断した場合には、電力加算処理を中断するように制御し、そうでない場合には、電力加算処理を継続するように制御する構成としてもよい。
【００２１】
本発明の別の側面に係る方法は、受信信号からセル範囲全体の遅延プロファイルを作成する第１の遅延プロファイル生成部と、前記受信信号からパス周辺の遅延プロファイルを作成する第２の遅延プロファイル生成部と、を有し、前記第１の遅延プロファイル生成部より出力される遅延プロファイルを受け、前記遅延プロファイルから有効パスが検出された場合、前記第１及び第２の遅延プロファイル生成部に対して、前記検出した有効パス周辺にサーチ範囲を設定するパスサーチャー部での遅延プロファイル作成方法であって、
前記第１の遅延プロファイル作成部で遅延プロファイル生成のための電力加算処理中に、パス非検出と判定した場合に、前記第１の遅延プロファイル作成部での電力加算を中断させて遅延プロファイルを出力させ、前記出力遅延プロファイルに基づき前記サーチ範囲の更新を行うように制御する工程と、を含む。
【発明の効果】
【００２２】
本発明によれば、フィンガー部から通知される同期情報を基に電力加算回数を制御しているので、パスを見失った場合に速やかに遅延プロファイルを出力し、サーチウィンドウの更新を行うことによって通信品質を向上することができる。
【００２３】
また、本発明によれば、同期情報に従って、電力加算回数を適応的に変化させているので、パラメータを変化させること無く様々な伝搬環境に対応できる。
【００２４】
また、本発明によれば、劣悪な伝搬環境により、低受信ＳＩＲでパスが捕捉出来なく、端末が送信電力を上昇させているような場合に、本発明では電力加算回数が少なくなる為、速やかに同期を確立できる。
【００２５】
さらに、本発明によれば、狭いサーチにより短い周期でフィンガー部へ通知されるパス情報を基に、フィンガー部が通知してくる同期情報を用いて、広いサーチの電力加算回数を制御しているため、パスを見失った場合に、速やかに広いサーチのサーチウィンドウを制御することができる。
【００２６】
あるいは、本発明の別の側面によれば、フィンガー部から通知される情報を用いずに、サーチャー部のみで電力加算処理の中断制御を行う構成とすることで、パスの状態に速やかに追従することができる。
【発明を実施するための最良の形態】
【００２７】
本発明を実施するための最良の形態について説明する。本発明において、パスタイミングを検出するためのスペクトラム拡散通信方式におけるパスサーチ装置は、セル半径全体を、荒い分解能で、広くサーチする機能と、検出したパスの周辺の狭い範囲のみを細かな分解能でサーチする機能を具備している。セル範囲全体をサーチする処理において、遅延プロファイル生成中にパスを見失ったと判断された場合には、電力加算処理継続判定部が電力加算部を制御し、電力加算処理を中断して、遅延プロファイルを出力させることにより、速やかにサーチウィンドウの更新を行う。
【００２８】
図１は、セル半径全体（セル範囲全体）をサーチする処理で検出したパスと、セル半径全体をサーチする処理、及び、検出したパスの周辺のみをサーチする処理のサーチ範囲（サーチウィンドウ）の関係を示したものである。
【００２９】
図１に示すように、セル半径全体をサーチする処理で検出したパスを用いてセル半径全体をサーチする処理、及び、検出したパスの周辺のみをサーチする処理のサーチ範囲を決定する。
【００３０】
セル半径全体をサーチする処理は、検出したパス周辺のみをサーチする処理と比較して、広い範囲をサーチするため遅延プロファイル生成終了までに長い時間を必要とする。このため、短い周期でパスの位置が変動するような環境下で、パスの変動に追従して各サーチ処理のサーチ範囲を制御することができずにパスを見失ってしまうことがある。
【００３１】
本発明は、ＣＤＭＡ受信装置のパスサーチにおけるセル半径全体を広くサーチする処理の遅延プロファイル生成処理過程において、パスを見失ったと判断された場合には、電力加算処理を中断し、その時点での遅延プロファイルを用いて、パス検出、及びサーチ範囲の更新を行い、そうでない場合には、電力加算処理を継続する。
【００３２】
図２は、本発明によるＣＤＭＡ受信装置のサーチャー部の構成の一例を示す図である。図２に示すように、電力加算処理継続判定部２１１は、サーチャー部２１が短い周期でフィンガー部２２に通知するパス情報２ｇを基に、フィンガー部２２がサーチャー部２１に通知する同期情報、すなわち、受信ＳＩＲ２ｈ、及び、同期判定結果２ｉを利用し、電力加算部２１０１に対し、セル半径全体をサーチする処理の電力加算処理を継続するか、または中断させる制御情報２ｉを通知する。本発明によれば、パスを見失ったと判断された場合に、次回以降の電力加算処理を中断し、遅延プロファイルを出力するので、遅延プロファイル生成中にパスを見失った場合に、速やかにサーチウィンドウを更新することができ、パスを見失っていない場合には、電力加算処理を継続することができる。以下実施例に即して説明する。
【実施例】
【００３３】
図３は、本発明の一実施例のＣＤＭＡ（Code  Division  Multiple  Acess）受信装置の構成を示す図である。図４は、本発明で扱うＷ−ＣＤＭＡ受信装置の受信データのフレーム構成を示したものである。
【００３４】
図３において、サーチャー部２１は、受信信号２ａのパイロット（pilot）部と既知のパイロット信号を少しずつずらしながら相関レベルを求め、ピークタイミングの検出処理を行い、検出した受信タイミング２ｇをフィンガー部２２へ通知する。
【００３５】
図３に示すように、フィンガー部２２は、逆拡散部３１と、ＳＩＲ（Signal to Interference signal power Ratio）推定部３２と、ＲＡＫＥ合成部３３と、ＲＡＫＥ合成後のＳＩＲ推定部３４と、復号部３５と、同期判定部３６を備えている。以下、各部について説明する。
【００３６】
逆拡散部３１は、受信信号２ａを、サーチャー部２１が通知した受信タイミングにおいて拡散コードとスクランブリングコードを乗算したコードを用いて逆拡散を行い、シンボルレートのデータ３ａを抽出する。
【００３７】
ＳＩＲ推定部３２は、逆拡散部３１からデータを受け取り、逆拡散後のパイロット部に対して、既知のパイロット信号の複素共役（complex comjugate）の信号を乗算し、各受信タイミングにおけるチャネル推定ベクトルを求めると共に、得られたチャネル推定ベクトルから、各受信タイミングにおけるＳＩＲを推定し、これらの情報３ｂを、ＲＡＫＥ合成部３３に通知する。
【００３８】
ＲＡＫＥ合成部３３は、逆拡散後の受信データ３ａに対して、ＳＩＲ推定部３２が求めたチャネル推定ベクトルの複素共役の信号を乗算して補正を行った後に、受信タイミング毎のＳＩＲに従って、重み付け合成を行い、ＲＡＫＥ合成したデータ３ｃを、ＲＡＫＥ合成後のＳＩＲ推定部３４及び復号部３５に通知する。
【００３９】
ＲＡＫＥ合成後のＳＩＲ推定部３４は、ＲＡＫＥ合成したデータ３ｃを用いて、ＲＡＫＥ合成後のＳＩＲを推定し、その結果である受信ＳＩＲ２ｈを、サーチャー部２１及び同期判定部３６に通知する。
【００４０】
復号部３５は、ＲＡＫＥ合成したデータ３ｃの復号を行い、復号結果３ｄを同期判定部３６に通知する。
【００４１】
同期判定部３６は、ＲＡＫＥ合成後のＳＩＲ推定部３４で得られた受信ＳＩＲ２ｈ及び復号部３５で得られた復号結果３ｄを用いて同期判定を行うと共に、同期判定結果２ｉを、サーチャー部２１へ通知する。
【００４２】
図２を参照すると、図３に示すサーチャー部２１の詳細な構成が示されている。図２に示すように、サーチャー部２１は、セル半径全体の遅延プロファイル生成部２３と、パス周辺の遅延プロファイル生成部２４と、パス検出処理部２５、２６と、ウィンドウ割り当て部２７と、を備えている。以下、各部について説明する。
【００４３】
セル半径全体の遅延プロファイル生成部２３は、相関値計算部２８１と、同相加算部２９１と、電力加算部２１０１と、電力加算処理継続判定部２１１と、を備えている。
【００４４】
パス周辺の遅延プロファイル生成部２４は、相関値計算部２８２と、同相加算部２９２と、電力加算部２１０２と、を備えている。
【００４５】
図２において、相関値計算部２８１と２８２は、いずれも、受信信号２ａのパイロット部を少しずつずらしながら既知のパイロット信号との相関を取り、Ｉ相とＱ相からなるベクトル量である相関値２ｂを、同相加算部２９１と２９２に出力する。
【００４６】
同相加算部２９１と２９２は、相関値をＩ相とＱ相を独立に所定の加算回数回だけ加算し、加算結果２ｃをそれぞれ、電力加算部２１０１と２１０２に出力する。
【００４７】
電力加算部２１０１と２１０２は、それぞれ、同相加算部２９１と２９２が加算したベクトル量である相関値の自乗和を取り、スカラー量である相関電力値に変換し、セル半径全体を広くサーチする処理の遅延プロファイル生成部２３の電力加算部２１０１の場合には、電力加算処理継続判定部２１１が通知した情報に基づき、電力加算処理または遅延プロファイル２ｄの出力処理を行う。一方、パス周辺の狭い範囲をサーチする処理の遅延プロファイル生成部２４の電力加算部２１０２の場合、所定の回数電力加算処理を行った後、遅延プロファイル２ｄの出力処理を行う。
【００４８】
電力加算処理継続判定部２１１は、あらかじめ規定された最低数の電力加算処理の終了後に、フィンガー部２２から通知される同期情報（受信ＳＩＲ２ｈ及び同期状態２ｉ）に基づき、パスを見失った（パス非検出）と判断した場合には、電力加算処理を中断するように、電力加算部２１０１を制御し、そうでない場合には、電力加算部２１０１が予め定められた規定回数（最大回数）まで電力加算処理を継続するように制御する。
【００４９】
パス検出処理部２５、２６は、遅延プロファイル生成部２３、２４がそれぞれ生成した遅延プロファイルに基づき、パスの検出処理と更新処理を行う。セル半径全体のパスを検出するパス検出処理部２５では、得られたパス情報２eをウィンドウ割り当て部２７に通知する。狭い範囲のパスを検出するパス検出処理部２６では、得られたパス情報２ｇをフィンガー部２２へ通知する。
【００５０】
ウィンドウ割り当て部２７は、パス検出処理部２５が検出したパスの情報２ｅに基づき、次回のサーチを行うサーチ範囲の更新を行い、その情報２ｆを、各遅延プロファイル生成部の相関値計算部２８に通知する。
【００５１】
図５は、電力加算処理継続判定部２１１の動作を示す状態遷移図である。図５を参照して、本実施例の動作について説明する。
【００５２】
図５において、相関電力値が電力加算部２１０に与えられると、電力加算処理継続判定部２１１は、実行した電力加算回数のカウント処理（５ａ）を行う。
【００５３】
電力加算回数が規定された最低電力加算回数Ｘｍｉｎ未満（５ｂ）の場合、電力加算継続処理を行う。
【００５４】
電力加算回数がＸｍｉｎ以上であり、規定された最高電力加算回数Ｘｍａｘ未満の場合には、電力加算処理継続判定部２１１はフィンガー部から通知される同期情報により、パスの検出、非検出判定を行う。
【００５５】
フィンガー部２２の同期判定が、
・同期確立、または、
・後方保護、かつ、受信ＳＩＲが規定されたレベルx1[ｄＢ]以上、または、
・前方保護、かつ受信ＳＩＲが規定されたレベルx2[ｄＢ]以上
の場合には、パス検出判定とし、これ以外の場合には、パス非検出判定とする。
【００５６】
パス検出判定（５ｃ）の場合、電力加算部に対して電力加算継続処理制御を行い、パス非検出判定（５ｄ）の場合、電力加算部に対し、遅延プロファイル出力処理制御を行う。
【００５７】
電力加算回数がＸｍａｘ以上（５ｅ）の場合に、電力加算処理を終了し、遅延プロファイル出力制御を行う。
【００５８】
遅延プロファイル出力後は、電力加算回数のカウンタの初期化処理（５ｆ）を行い、電力加算処理開始準備（５ｇ）を行う。
【００５９】
図６は、図２に示した本実施例のサーチャー部２１の動作概要を示すフローチャートである。図６を参照して、図２に示した本実施例の動作を説明する。図６に示すように、相関値計算部２８１、２８２が求めた相関値を、同相加算部２９１、２９２が所定の回数同相加算する（ステップＳ１〜Ｓ２）。
【００６０】
実行した電力加算回数と、あらかじめ規定された最低電力加算回数及び最高電力加算回数と、フィンガー部２２から通知される同期情報によって、電力加算部２１０１における電力加算処理を継続または中断し、遅延プロファイルの出力を行う。(ステップＳ３〜Ｓ９)。
【００６１】
電力加算回数がＸｍｉｎ未満の場合（ステップＳ４）、電力加算部２１０１で電力加算処理を行う（ステップＳ８）。
【００６２】
広いサーチのパス情報の場合（ステップＳ５のＹＥＳ分岐）、電力加算部２１０１での電力加算回数がＸｍａｘよりも小の場合であって（ステップＳ６のＹＥＳ分岐）、パス検出判定の場合（ステップＳ７のＹＥＳ分岐）、電力加算処理を行う（ステップＳ８）。
【００６３】
広いサーチのパス情報でない場合（ステップＳ５のＮｏ分岐）、電力加算回数がＸｍａｘ以上の場合（ステップＳ６のＮｏ分岐）、パス非検出判定の場合（ステップＳ７のＮｏ分岐）、遅延プロファイルを出力する（ステップＳ９）。
【００６４】
生成された遅延プロファイルを基に、パスの検出処理を行い（ステップＳ１０）、広いサーチのパス情報の場合（ステップＳ１１のＮｏ分岐）、ウィンドウ割当て部２７は、該パス情報を用いたウィンドウ割り当て処理を行う（ステップＳ１２)。なお、狭いサーチのパス情報の場合（ステップＳ１１のＹｅｓ分岐）、遅延プロファイルを基に、パス検出処理部２６でパスの検出処理を行い、パス情報をフィンガー部２２に出力する。
【００６５】
本実施例の作用効果について説明する。
【００６６】
フィンガー部２２から通知される同期情報を基に電力加算回数を制御しているので、パスを見失った場合にも、速やかに遅延プロファイルを出力し、サーチウィンドウ（範囲）の更新を行うことによって通信品質を向上できる。
【００６７】
同期情報に従って電力加算回数を適応的に変化させているので、パラメータを変化させること無く様々な伝搬環境に対応できることである。
【００６８】
劣悪な伝搬環境により、低受信ＳＩＲでパスが捕捉出来なく、端末が送信電力を上昇させているような場合に、本発明では電力加算回数が少なくなる為、速やかに同期を確立できることができることである。
【００６９】
狭いサーチにより短い周期でフィンガー部へ通知されるパス情報を元に、フィンガー部が通知してくる同期情報を用いて広いサーチの電力加算回数を制御する為、パスを見失った場合に速やかに広いサーチのサーチウィンドウを制御することができることである。
【００７０】
本発明の他の実施例について説明する。図７は、本発明の第２の実施例の構成を示す図である。本発明の第２の実施例は、電力加算処理継続判定部の構成が前記実施例と相違している。他の構成は、前記実施例と同じである。図７を参照すると、本発明の第２の実施例において、電力加算処理継続判定部７１は、パス検出処理部２６’により比較的短い周期で更新されるパスの情報７ａを利用して電力加算部２１０１に対して電力加算継続制御情報２ｉを通知する。
【００７１】
図８は、本発明の第２の実施例の電力加算処理継続判定部７１の状態遷移図を示したものである。図８において、相関電力値が電力加算部２１０１に与えられると、電力加算処理継続判定部７１は、実行した電力加算回数のカウント処理（８ａ）を行う。
【００７２】
電力加算回数が規定された最低電力加算回数Ｘｍｉｎ未満の場合（８ｂ）は電力加算継続処理を行う。
【００７３】
電力加算回数がＸｍｉｎ以上であり、規定された最大電力加算回数Ｘｍａｘ未満の場合は、電力加算処理継続判定部７１は、パス検出処理部２６’がフィンガー部２２’に通知するパスの情報により、アクティブ（active）なパスが存在する場合（８ｃ）は、電力加算部２１０１に対し電力加算継続処理制御を行い、存在しない場合（８ｄ）には、電力加算部２１０１に対し、遅延プロファイル出力処理制御を行う。
【００７４】
電力加算処理継続判定部７１は、電力加算部２１０１での電力加算回数がＸｍａｘ以上の場合（８ｅ）は、電力加算部２１０１における電力加算処理を終了し、遅延プロファイルを出力するように制御する。
【００７５】
遅延プロファイル出力後は電力加算回数のカウンタの初期化処理（８ｆ）を行い、電力加算処理開始準備（８ｇ）を行う。
【００７６】
本発明の第２の実施例によれば、フィンガー部から通知される情報を用いずに、サーチャー部のみで処理を行うことができ、パスの状態に速やかに追従することができる。
【００７７】
以上、本発明を上記実施例に即して説明したが、本発明は上記実施例の構成に限定されるものでなく、本発明の範囲内で当業者であればなし得るであろう各種変形、修正を含むことは勿論である。
【図面の簡単な説明】
【００７８】
【図１】本発明のパス、広いサーチと狭いサーチのサーチウィンドウの関係を示す図である。
【図２】本発明の一実施例のサーチャー部の構成を示す図である。
【図３】本発明の一実施例のフィンガー部の構成を示す図である。
【図４】本発明で対象とする上り個別チャネルのフレームフォーマットを示す図である。
【図５】本発明の一実施例における電力加算処理継続判定部の状態遷移を示す図である。
【図６】本発明の一実施例におけるサーチャー部の動作を説明するためのフローチャートである。
【図７】本発明の他の実施例のサーチャー部の構成を示す図である。
【図８】本発明の他の実施例における電力加算処理継続判定部の状態遷移を示す図である。
【図９】従来の典型的なサーチャー部の構成の一例を示す図である。
【符号の説明】
【００７９】
２ａ  受信信号
２ｃ  加算結果
２ｄ  遅延プロファイル
２ｅ  パス情報
２ｆ  情報
２ｇ  パス情報２
２ｈ  受信ＳＩＲ
２ｉ  同期状態
３ａ  データ
３ｂ  情報（ＳＩＲ推定情報）
３ｃ  ＲＡＫＥ合成したデータ
３ｄ  復号データ
５ａ  電力加算回数カウント
５ｂ  電力加算回数＜Ｘｍｉｎ
５ｃ  パス検出判定
５ｄ  パス非検出判定
５ｅ  Ｘｍａｘ≦電力加算回数
５ｆ  電力加算回数初期化
５ｇ  電力加算処理開始準備
８ａ  電力加算回数カウント
８ｂ  電力加算回数＜Ｘｍｉｎ
８ｃ  アクティブなパスが存在
８ｄ  アクティブなパスが存在しない
８ｅ  Ｘｍａｘ≦電力加算回数
８ｆ  電力加算回数初期化
８ｇ  電力加算処理開始準備
２１、２１’、９１  サーチャー部
２２、２２’、９０  フィンガー部
２３、２３’、９３  セル半径全体の遅延プロファイル生成部
２４、９４  パス周辺の遅延プロファイル生成部
２５、９５  パス検出処理部
２６、２６’、９６  パス検出処理部
２７、９７  ウィンドウ割り当て部
２８  相関値計算部
２９  同相加算部
３１  逆拡散部
３２  ＳＩＲ推定部
３３  ＲＡＫＥ合成部
３４  ＲＡＫＥ合成後ＳＩＲ推定部
３５  復号部
３６  同期判定部
７１  電力加算処理継続判定部
９２、２１０  電力加算部
２１１  電力加算処理継続判定部
【図１】
2006050005.tif 000003
【図２】
2006050005.tif 000004
【図３】
2006050005.tif 000005
【図４】
2006050005.tif 000006
【図５】
2006050005.tif 000007
【図６】
2006050005.tif 000008
【図７】
2006050005.tif 000009
【図８】
2006050005.tif 000010
【図９】
2006050005.tif 000011